(57)【要約】      （修正有）【課題】多方位拡開と３６０度回転が可能なバネ式テンプル付き眼鏡を提供する。【解決手段】バネ式テンプル付き眼鏡は、智元１、バネ式テンプル芯組立体及びテンプル２を備える。バネ式テンプル芯組立体は、バネ式テンプルロッド、ガスケット、バネ、スリーブ及び２重蝶番接続具を備える。ガスケットは、バネ式テンプルロッドの一端に位置し、２重蝶番接続具は、バネ式テンプルロッドの他端に位置する。スリーブは、バネと２重蝶番接続具との間に位置し、バネ式テンプルロッドは、バネとスリーブとの各々に挿設される。バネ式テンプル芯組立体は、テンプル２に固定されており、智元１は、バネ式テンプル芯組立体に固定されている。テンプル２は、上方又は下方へ動かすこともでき不規則な捻り力が掛けられる時に３６０度で自在に回転でき、損壊しにくい。【選択図】図２
0003199508.tif 000002
【実用新案登録請求の範囲】
【請求項１】
智元、バネ式テンプル芯組立体及びテンプルを備え、
前記バネ式テンプル芯組立体は、バネ式テンプルロッド、ガスケット、バネ、スリーブ及び２重蝶番接続具を備え、
前記ガスケットは、前記バネ式テンプルロッドの一端に位置し、
前記２重蝶番接続具は、前記バネ式テンプルロッドの他端に位置し、
前記スリーブは、前記バネと前記２重蝶番接続具との間に位置し、
前記バネ式テンプルロッドは、前記バネと前記スリーブとの各々に挿設され、
前記バネ式テンプル芯組立体は、前記テンプルに固定されており、
前記智元は、前記バネ式テンプル芯組立体に固定されている
ことを特徴とするバネ式テンプル付き眼鏡。
【請求項２】
前記２重蝶番接続具は、半球状の内凹溝及び三つの切り欠きが設けられており、
前記バネ式テンプルロッドは、半球状端部を有し、
前記バネ式テンプルロッドの半球状端部が前記半球状の内凹溝に回転可能に接続される
ことを特徴とする請求項１に記載のバネ式テンプル付き眼鏡。
【考案の詳細な説明】
【技術分野】
【０００１】
本考案は、多方位拡開と３６０度回転が可能なバネ式テンプル付き眼鏡に関する。
【背景技術】
【０００２】
従来のバネ式テンプルは、主に二種の方式で実現される。一つの方式は、テンプルにバネ蝶番を直接溶接するものである。他の一つの方式は、テンプルの幅と厚さを増加し、更にテンプルに孔を開け、テンプルにバネ式テンプル芯を内蔵してなる一体式バネ式テンプルである。それらのバネ蝶番構造のいずれであっても、従来のバネ式テンプルに求められた機能、即ち外方へ開くことができる。
【考案の概要】
【考案が解決しようとする課題】
【０００３】
しかしながら、従来のバネ式テンプルでは、開く角度が小さい（約２０°）ので、開く際に加える力が比較的大きい場合、バネ式テンプルが損壊しやすいという問題と、上方又は下方へ外力が加えられ又は不規則な捻り力が掛けられる場合、損壊しがちになり、例えば子供向け眼鏡の場合、子供がよく眼鏡枠を玩具のように取扱い、正常な方式でテンプルを開閉せずに、テンプルを上下に動かしたり、曲げたりするため、テンプルが損害しやすくなるという問題とが存在する。
【０００４】
本考案の解決しようとする技術上の問題は、正常に開閉できるだけでなく、上下へ動かすことも可能で且つ不規則な捻り力が掛けられる時に３６０度で自在に回転でき、損壊しにくいテンプルを備える、多方位拡開と３６０度回転が可能なバネ式テンプル付き眼鏡を提供することにある。
【課題を解決するための手段】
【０００５】
本考案は、上記技術上の問題を解決するため、
智元、バネ式テンプル芯組立体及びテンプルを備え、
前記バネ式テンプル芯組立体は、バネ式テンプルロッド、ガスケット、バネ、スリーブ及び２重蝶番接続具を備え、
前記ガスケットは、前記バネ式テンプルロッドの一端に位置し、
前記２重蝶番接続具は、前記バネ式テンプルロッドの他端に位置し、
前記スリーブは、前記バネと前記２重蝶番接続具との間に位置し、
前記バネ式テンプルロッドは、前記バネと前記スリーブとの各々に挿設され、
前記バネ式テンプル芯組立体は、前記テンプルに固定されており、
前記智元は、前記バネ式テンプル芯組立体に固定されている
ことを特徴とする。
【０００６】
好ましくは、前記２重蝶番接続具は、半球状の内凹溝及び三つの切り欠きが設けられており、
前記バネ式テンプルロッドは、半球状端部を有し、
前記バネ式テンプルロッドの半球状端部が前記半球状の内凹溝に回転可能に接続される。
【考案の効果】
【０００７】
本考案によれば、テンプルが従来のように開閉できるだけでなく、上下へ動かすことが可能で且つ不規則な捻り力が掛けられる時に３６０度で自在に回転でき、損壊しにくい。
【図面の簡単な説明】
【０００８】
【図１】本考案の一実施の形態に係るバネ式テンプル付き眼鏡の分解組立図である。
【図２】本考案の一実施の形態に係るバネ式テンプル付き眼鏡を組み合わせた後の構造模式図である。
【図３】本考案の一実施の形態に係るバネ式テンプル付き眼鏡において、テンプルを上方へ動かした後の構造模式図である。
【図４】本考案の一実施の形態に係るバネ式テンプル付き眼鏡において、テンプルを下方へ動かした後の構造模式図である。
【考案を実施するための形態】
【０００９】
以下、本考案に係るバネ式テンプル付き眼鏡の好適な一例である一実施の形態を、図面を参照して説明する。
【００１０】
図１−図４に示されるように、本考案の一実施例に係るバネ式テンプル付き眼鏡は、多方位拡開と３６０度回転が可能な新型のバネ式テンプル付き眼鏡であって、智元１、バネ式テンプル芯組立体及びテンプル２を備える。バネ式テンプル芯組立体は、バネ式テンプルロッド３、ガスケット４、バネ５、スリーブ６及び２重蝶番接続具７を備える。ガスケット４は、バネ式テンプルロッド３の一端に位置する。２重蝶番接続具７は、バネ式テンプルロッド３の他端に位置する。スリーブ６は、バネ５と２重蝶番接続具７との間に位置する。バネ式テンプルロッド３は、バネ５とスリーブ６との各々に挿設される。バネ式テンプル芯組立体は、テンプル２に固定されており、智元１は、バネ式テンプル芯組立体に固定されている。
【００１１】
バネ式テンプルロッド３は、大きい力が加えられると、自在に変形することができ、更に元に回復することができるため、損壊を防止することができる。バネ式テンプルロッド３の端部形状を半球状とすることにより、テンプルを全方位に拡げて開くこと（拡開）が可能になり、更に不規則な捻り力が掛けられた場合に自在に回転することが可能になる。バネ式テンプルロッド３の材料は、例えば形状記憶合金で製造されるものであるので、変形後に従来の形状に回復できる。
【００１２】
２重蝶番接続具７には半球状の内凹溝７１及び三つの切り欠き７２が設けられており、バネ式テンプルロッド３が有する半球状端部３１が半球状の内凹溝７１に嵌まるように回転可能に接続されていることにより、バネ式テンプルロッド３は、２重蝶番接続具７に対して自在に回転できる。一つの切り欠きは、テンプルを大きな角度で拡開することを可能にする。ほかの二つの切り欠きは、テンプルを上下へ動かすことを可能にする。半球状の内凹溝７１とバネ式テンプルロッドの端部３１との高精度での嵌合及び三つの切り欠きの高精度の設計により、テンプル２を上下へ動かすことと外方へ大きい角度で拡開すること（６０°の大きい角度まで拡開可能）とが可能になり且つ不規則に曲げることも可能になる。
【００１３】
以上の前記具体的な実施例は、本考案の解決する技術的問題、考案及び有益な効果を更に詳細に説明するが、以上の内容は本考案の具体的な実施例に過ぎず、本考案を制限するものではなく、本考案の趣旨及び原則を逸脱しない限り、全ての変更、均等物、改良等は、本考案の保護範囲に含まれるべきである。
【符号の説明】
【００１４】
１  智元
２  テンプル
３  バネ式テンプルロッド
４  ガスケット
５  バネ
６  スリーブ
７  ２重蝶番接続具
【図１】
0003199508.tif 000003
【図２】
0003199508.tif 000004
【図３】
0003199508.tif 000005
【図４】
0003199508.tif 000006